(57)【要約】流体誘導部品の相互接続用の接続システムは：第１及び第２流体誘導部品（２）を具備しており、そこでは該流体誘導部品の各々は接続面（１１）を備えており、該接続面は流体ポート（１２）と、該接続面のエッジから内方へ延びる第１及び第２の実質的に平行なスロットを有する少なくとも１つのスロット配置と、を有しているが、該スロットの各々は該接続面内のアパーチャと、該接続面と反対方向で内方へ面し、該接続面の該エッジからテーパー付けされた第１のテーパ付き面（２６）と、そして該接続面と実質的に平行な方向に外方に面する第２テーパ付き面（３２）とを有しており；該接続システムは又該流体誘導部品の該接続面と相互接続するための少なくとも１つのコネクターを具備しているが、該接続システムに於いて、該少なくとも１つのコネクターは、支持部（５８）と、それから実質的に平行関係で延びる第１及び第２結合部材（６０，６２）と、を有する結合要素（５２）を備えており、そこでは該結合部材の各々は、該流体誘導部品の該スロット配置の該それぞれの結合面と契合しそして該結合面を整合、配向させるために、各々が該支持部から離れる方向で外方へテーパ付けされている第１及び第２テーパ付きカム面、（８６，９２）と、該流体誘導部品の該スロット配置の該それぞれの第２面と契合しそして該第２面を整合、配向させるために、各々が該支持部材から離れる方向で外方へテーパ付けされている第１及び第２カム面と、を有している。
2005537441.tif 000002
【特許請求の範囲】
【請求項１】
第１及び第２流体誘導部品とコネクターとを具備する接続システムであり、該第１及び第２流体誘導部品の各々は、該流体誘導部品の接続面を横切るよう該接続面のエッジから延びる第１及び第２の実質的に平行なスロットを有するスロット配置を備えており、該第１及び第２スロットの各々は第１のテーパ付き面と第２のテーパー付き面を有しており、該コネクターは第１及び第２結合部材を有する結合要素を備えており、該結合部材の各々は第１のテーパ付き面と第２のテーパ付き面とを有している、該接続システムに於いて、使用時、該コネクターは、該第１及び第２流体誘導部品を一緒に引くため、該第１及び第２スロットの該第１テーパ付き面がそれぞれの第１及び第２結合部材の該第１テーパ付き面と契合するよう、そして該第２流体誘導部品に対し該第１流体誘導部品を整合させるため、該第１及び第２スロットの該第２テーパ付き面がそれぞれの第１及び第２結合部材の該第２テーパ付き面と契合するよう、該スロット配置と契合することを特徴とする該接続システム。
【請求項２】
該第１及び第２スロットがそれぞれ該流体誘導部品の第１及び第２チャンネルを規定することを特徴とする請求項１の接続システム。
【請求項３】
該第１及び第２スロットの該第１テーパ付き面が該流体誘導部品の該接続面に実質的に平行な該それぞれの第１又は第２チャンネルの１つの又は両方の壁を有することを特徴とする請求項２の接続システム。
【請求項４】
該第１及び第２スロットの該第１テーパ付き面が、該スロットにより提供される該チャンネルの幅が該接続面のエッジから該スロットの遠位の端部の方へ収斂するように、該スロットの長さに沿って内方へテーパ付けされていることを特徴とする請求項２又は３の接続システム。
【請求項５】
該第１及び第２スロットの該第２テーパ付き面が該スロットを規定する該エッジの１つ又は両方を有することを特徴とする前記請求項の何れか１つの接続システム。
【請求項６】
該エッジは、スロットが該接続面の該エッジから該スロットの該遠位の端部の方へ収斂するように、該スロットの長さに沿って内方へテーパ付けされることを特徴とする請求項５の接続システム。
【請求項７】
該コネクターの結合要素は該第１及び第２結合部材がそこから延びる支持部を有することを特徴とする前記請求項の何れか１つの接続システム。
【請求項８】
該第１及び第２結合要素が該支持部の第１の側に実質的に直角に延び、該支持部上で相互から離れるよう隔てられることを特徴とする請求項７の接続システム。
【請求項９】
該第１及び第２結合部材が実質的に該支持部の反対端に配置されることを特徴とする請求項８の接続システム。
【請求項１０】
該第１及び第２結合部材が実質的にＵ型の断面形状を有し、各々が架橋壁により接合された第１及び第２側壁を有することを特徴とする前記請求項の何れか１つの接続システム。
【請求項１１】
該第１結合部材及び第２結合部材は、該第１結合部材の該側壁の縦エッジが該第２結合部材の該側壁の縦エッジに面するよう、該支持部上で配置されることを特徴とする請求項１０の接続システム。
【請求項１２】
該第１及び第２結合部材の各々の該第１テーパ付き面が該結合部材の該側壁の１つの又は両方の内面により提供され、該側壁の厚さが該支持部から該結合部材の該遠位の端部へと減じることを特徴とする請求項１０又は１１の接続システム。
【請求項１３】
該第１及び第２結合部材の該第２テーパ付き面が該第１及び第２結合部材の該側壁の該縦エッジにより提供されており、そして該縦エッジは、該側壁の深さが該支持部からその遠位の端部へと減少するよう、該縦エッジは該支持部から外方へ分かれることを特徴とする請求項１１又は１２の接続システム。
【請求項１４】
該流体誘導部品の該接続面が流体ポートを有することを特徴とする前記請求項の何れか１つの接続システム。
【請求項１５】
該コネクターが更に、ロック解除位置とロック位置の間で該支持部に対し摺動可能に配置されるスライド要素を備えることを特徴とする前記請求項の何れか１つの接続システム。
【請求項１６】
該第１及び第２流体誘導部品の１つ又は両方がラグを具備しており、該ラグは、使用時、該ロック位置にある時は該コネクターの該スライド部材の突起により契合されることを特徴とする請求項１５の接続システム。
【請求項１７】
該流体誘導部品の両方共、該スライド要素上の突起を受ける凹部を具備しており、該凹部は、前記突起が前記凹部内に受けられた時前記スライド部材がロック位置にあるよう配置されていることを特徴とする請求項１５の接続システム。
【請求項１８】
該凹部はテーパ付き部分を備えており、該テーパ付き部分は該凹部から該流体誘導部品のスロットへ外方へテーパ付けされており、該テーパ付き部分は該突起を該凹部との契合からそらせ、それにより該スライド要素をロック解除位置に置くため使われることを特徴とする請求項１７の接続システム。
【請求項１９】
該流体誘導部品の各々が、そこから該第１及び第２スロットが延びる該接続面の該エッジの部分、或いは実質的に全体、に沿って延びる凹部を備えることを特徴とする前記請求項の何れか１つの接続システム。
【請求項２０】
該第１及び第２スロットの該第１テーパ付き面が約２°の角度でテーパ付けされていることを特徴とする前記請求項の何れか１つの接続システム。
【請求項２１】
該第１及び第２スロットの該第２テーパ付き面が約２°の角度でテーパ付けされていることを特徴とする前記請求項の何れか１つの接続システム。
【請求項２２】
該第１及び第２結合部材の該第１テーパ付き面が約２°の角度でテーパ付けされていることを特徴とする前記請求項の何れか１つの接続システム。
【請求項２３】
該第１及び第２結合部材の該第２テーパ付き面が約２°の角度でテーパ付けされていることを特徴とする前記請求項の何れか１つの接続システム。
【請求項２４】
該流体誘導部品の各々の該接続面が実質的に平面状であることを特徴とする前記請求項の何れか１つの接続システム。
【請求項２５】
該支持部がベース部分と、該ベースに沿って縦に延びるリブと、を有することを特徴とする請求項７から２４の何れか１つの接続システム。
【請求項２６】
該スライド要素は、該支持部の該リブが中に捕捉式に配置される凹部を有するボデイ部分を備えることを特徴とする請求項１５−２４の何れか１つ及び請求項２５の接続システム。
【請求項２７】
該第１及び第２流体誘導部品の該接続面の各々が、該接続面の相対するエッジから相対する関係で延びる第１及び第２スロット配置を有することを特徴とする前記請求項の何れか１つの接続システム。
【請求項２８】
第１及び第２コネクターを具備することを特徴とする請求項２７の接続システム。
【請求項２９】
実質的に、ここの図面を参照してここで説明された、接続システム。
【発明の詳細な説明】
【技術分野】
【０００１】
本発明は流体誘導部品（ｆｌｕｉｄ−ｃｏｎｄｕｃｔｉｎｇ  ｃｏｍｐｏｎｅｎｔｓ）、特に空圧部品（ｐｎｅｕｍａｔｉｃ  ｃｏｍｐｏｎｅｎｔｓ）、を相互接続（ｉｎｔｅｒｃｏｎｎｅｃｔｉｎｇ）するための接続システム（ｃｏｎｎｅｃｔｉｏｎ  ｓｙｓｔｅｍ）に関する。
【背景技術】
【０００２】
現在、流体誘導部品を相互接続するための接続システムは存在する。しかしながら、これらの接続システムはロック用ねじ（ｌｏｃｋｉｎｇ  ｓｃｒｅｗｓ）の様な要素（ｅｌｅｍｅｎｔｓ）を組み込んでおり、該ねじは、該部品を一緒にロックし、該部品の通常の６自由度（ｘ、ｙそしてｚと、それらの軸の周りの回転）運動を防止する際、該流体誘導部品の外へ伸展する。この様であるから、その結合された部品の外部寸法は該部品自体の寸法より可成り大きい。
【０００３】
本発明の狙いは流体誘導部品、特に空圧部品、を相互接続するための改良された接続システムを提供することである。
【０００４】
従って、本発明は第１及び第２流体誘導部品とコネクターとを具備しており、該第１及び第２流体誘導部品の各々は該流体誘導部品の接続面（ｃｏｎｎｅｃｔｉｏｎ  ｆａｃｅ）を横切るよう該接続面のエッジから延びる第１及び第２の実質的に平行なスロットを有するスロット配置（ｓｌｏｔ  ａｒｒａｎｇｅｍｅｎｔ）を備えており、該第１及び第２スロットの各々は第１のテーパ付き面（ｆｉｒｓｔ  ｔａｐｅｒｅｄ  ｓｕｒｆａｃｅ）と第２のテーパー付き面（ｓｅｃｏｎｄ  ｔａｐｅｒｅｄ  ｓｕｒｆａｃｅ）を有しており、該コネクターは第１及び第２結合部材（ｆｉｒｓｔ  ａｎｄ  ｓｅｃｏｎｄ  ｃｏｕｐｌｉｎｇ  ｍｅｍｂｅｒｓ）を有する結合要素（ｃｏｕｐｌｉｎｇ  ｅｌｅｍｅｎｔ）を備えており、該結合部材の各々は第１テーパ付き面と第２テーパー付き面を有しており、そこでは、使用時、該コネクターは、該第１及び第２流体誘導部品を一緒に引くために該第１及び第２スロットの該第１テーパ付き面が該それぞれ第１及び第２結合部材の該第１テーパ付き面と契合する（係合する，ｅｎｇａｇｅ）よう、そして該第２流体誘導部品に対し該第１流体誘導部品を整合させるために該第１及び第２スロットの該第２テーパ付き面が該それぞれ第１及び第２結合部材の該第２テーパ付き面と契合するよう、該スロット配置と契合する。
【０００５】
本発明の接続システムでは、該流体誘導部品の該接続面は実質的に平面状である。適当に、該接続面は流体ポート（ｆｌｕｉｄ  ｐｏｒｔ）を有する。
【０００６】
適当に、該スロット配置は細長いスロット（ｅｌｏｎｇａｔｅ  ｓｌｏｔｓ）を有する。該第１及び第２スロットは該流体誘導部品内に適当に第１及び第２チャンネル（ｆｉｒｓｔ  ａｎｄ  ｓｅｃｏｎｄ  ｃｈａｎｎｅｌｓ）を規定する。
【０００７】
該第１及び第２スロットの該第１テーパ付き面は該それぞれの第１又は第２チャンネルの１つ又は両方の壁を有してもよく、該１つ又は両方の壁は該流体誘導部品の該接続面に実質的に平行である。
【０００８】
該第１及び第２スロットの該第１テーパ付き面は、該スロットにより提供される該チャンネルの幅が、該接続面の該エッジから該スロットの遠位の端部へ減じるよう、該接続面から離れるよう、該スロットの長さに沿い内方へ適当にテーパ付けされる。
【０００９】
該第１及び第２スロットの該第２テーパ付き面は、該それぞれ第１又は第２スロットを規定する該エッジの１つ又は両方を含む。適当に、該１つの又は両方のエッジは、該スロットの高さが該接続面の該エッジからその遠位の端部へ減じるよう、内方へテーパ付けされる。
【００１０】
該第１及び第２スロットの該第１テーパ付き面は該接続面に対し何等かの適当な角度でツーパ付けされてもよい。該第１及び第２スロットの該第１のテーパ付き面は０−９０°の間、好ましくは０．５−４５°の間、そしてより好ましくは１−１０°の間、の角度でテーパ付けされてもよい。有利なことに、該スロットの該第１テーパ付き面は約２°の角度でテーパ付けされる。該第１スロットの該第１テーパ付き面は該第２スロットの該第１テーパ付き面と同じ角度でテーパ付けされてもよい。代わりに、該第１スロットの該第１テーパ付き面は該第２スロットの該第１テーパ付き面に対し異なる角度でテーパ付けされてもよい。
【００１１】
該第１及び第２スロットの該第２テーパ付き面は該それぞれのスロットの中央縦軸線に対し何等かの適当な角度でテーパ付けされてもよい。該第１及び第２スロットの該第２テーパ付き面は０−９０°の間、好ましくは０．５−４５°の間、そしてより好ましくは１−１０°の間、の角度でテーパ付けされてもよい。有利なことに、該第１及び第２スロットの該第２テーパ付き面は約２度の角度でテーパ付けされている。該第１スロットの該第２テーパ付き面は該第２スロットの該第２テーパ付き面と同じ角度でテーパ付けされてもよい。代わりに、該第１スロットの該第２テーパ付き面は該第２スロットの該第２テーパ付き面と異なる角度でテーパ付けされてもよい。
【００１２】
該コネクターの該結合要素は該第１及び第２結合部材がそこから延びる支持部（ｓｕｐｐｏｒｔ）を適当に有する。適当に、該第１及び第２結合部材は該支持部の第１側に実質的に直角に延びており、該支持部上で相互に隔てられている。好ましくは、該第１及び第２結合部材は該支持部の相対する端部（ｏｐｐｏｓｉｔｅ  ｅｎｄｓ）に配置されるのがよい。
【００１３】
適当に、該結合部材は実質的にＵ型の断面形状を有し、各々は架橋壁（ｂｒｉｄｇｉｎｇ  ｗａｌｌ）により接合（ｊｏｉｎｅｄ）された第１及び第２側壁（ｆｉｒｓｔ  ａｎｄ  ｓｅｃｏｎｄ  ｓｉｄｅ  ｗａｌｌｓ）を有する。
【００１４】
該結合部材は、該第１結合部材の該側壁の縦エッジ（ｌｏｎｇｉｔｕｄａｌ  ｅｄｇｅｓ）が該第２結合部材の該側壁の縦エッジに面する（ｆａｃｅ）よう、該支持部上に適当に配置される。
【００１５】
該第１及び第２結合部材の該第１テーパ付き面は該結合部材の１つ又は両方の側壁の内面により適当に提供され、そこでは該側壁の厚さは該支持部から該側壁の遠位の端部へ減じる。
【００１６】
該第１及び第２結合部材の該第２テーパ付き壁は該第１及び第２結合部材の該側壁の縦エッジにより適当に提供され、そこでは該側壁の該縦エッジは、該側壁の深さが該支持部から該側壁の遠位の端部へ減じるよう、該支持部から外方へ分かれる（ｄｉｖｅｒｇｅ）。
【００１７】
該コネクターは更にスライド要素（ｓｌｉｄｅ  ｅｌｅｍｅｎｔ）を備えており、該要素はロック解除位置（ｕｎｌｏｃｋｅｄ  ｐｏｓｉｔｉｏｎ）とロック位置（ｌｏｃｋｅｄ  ｐｏｓｉｔｉｏｎ）との間の移動用に該結合要素に対し摺動可能に配置される（ｓｌｉｄａｂｌｙ  ｄｉｓｐｏｓｅｄ）。
【００１８】
該コネクターの該支持部はベース部分（ｂａｓｅ  ｓｅｃｔｉｏｎ）と、該ベース部分の外面から隔てられ、該外面に沿って縦に延びるフランジ（ｆｌａｎｇｅ）と、そして該ベース部分に沿って縦に延びるリブ（ｒｉｂ）と、を有する。該リブは該フランジ部分より幅が適当に小さい。該リブは該フランジ部分と該ベース部分を適当に接続する。該リブはその１端に拡大部分（）を適当に有し、該部分は、使用時、該支持部と該スライド要素の不適当な嵌合（ｉｍｐｒｏｐｅｒ  ｆｉｔｔｉｎｇ）を防止するよう作用する。該リブは更に、使用時、戻り止め（ｄｅｔｅｎｔ）として作用するよう配置された横突起（ｌａｔｅｒａｌ  ｐｒｏｊｅｃｔｉｏｎ）を有してもよい。
【００１９】
該スライド要素はボデイ部分と横突起とを有してもよい。該ボデイ部分は細長い部分を有してもよい。該ボデイ部分は適当に通しスロット（ｔｈｒｏｕｇｈ  ｓｌｏｔ）と凹部（ｒｅｃｅｓｓ）とを有する。該凹部は使用時、該支持部部材の該フランジ部分を受けるよう適当に配置される。該通しスロットは使用時、該支持部材の該リブを受けるよう適当に配置される。該通しスロットは１つのカットアウト（ｃｕｔ−ｏｕｔ）、好ましくはその相対する側に１対のカットアウトを適当に有する。該カットアウトは使用時、該スライド要素をロックするために該支持部の該リブの該横突起と契合するよう適当に配置される。この構成で、該スライド要素は該結合要素に対し、第１の、延びた位置（ｅｘｔｅｎｄｅｄ  ｐｏｓｉｔｉｏｎ）と第２の、引き込めた位置（ｒｅｔｒａｃｔｅｄ  ｐｏｓｉｔｉｏｎ）の間で、捕捉式に摺動可能に配置される。該延びた位置では、該ロック用スライド要素上の該突起は該コネクターのスロット内への完全な挿入を可能にするよう適当に延ばされる。
【００２０】
該コネクターの該結合要素は何等かの適当な材料、好ましくは金属を含むのがよい。該コネクターの該スライド要素は何等かの適切な材料、好ましくはプラスチック材料を含むのがよい。
【００２１】
第１及び第２流体誘導部品の１つ又は両方は、使用時、該コネクターの該スライド部材により契合されるラグ（ｌｕｇ）を含んでもよい。該スライド部材が該ラグと契合する時、適当に該スライド部材は該ロック位置にある。
【００２２】
該流体誘導部品の各々はその該エッジに、該結合要素の該支持部材が中に配置可能な、凹部を有してもよい。適当に、該凹部は、該第１又は第２スロットがそこから延びる、該接続面の該エッジの、部分、或いは実質的に全体、に沿って延びている。該流体誘導部品は第１及び第２凹部を有し、該第１及び第２凹部は該接続面の相対するエッジに沿って適当に延びている。
【００２３】
該コネクターの該スライド要素の該横突起は、使用時、それが流体誘導部品のラグと契合するように適当に配置される。その引き込まれた位置では、該スライド要素の該突起は、該結合要素を位置内にロックするように該流体誘導部品のラグと適当に契合する。
【００２４】
該第１及び第２スロットは凹部から内方へ適当に延びる。もし該流体誘導部品が第１及び第２凹部を有するなら、該流体誘導部品は適当に第１及び第２スロット配置を有する。この場合、該第１及び第２スロット配置は該第１及び第２凹部のそれぞれの１つから、相対する関係を有して適当に延びる。
【００２５】
ラグは該凹部の各端部に適当に配置される。該ラグは該スロットの主軸線に実質的に直交する方向で外方に適当に向けられる。好ましくは、該流体誘導部品の該接続面の各々は、該ロック位置にある時該コネクターの該スライド要素により契合されたラグを含むのがよい。
【００２６】
該結合部材は、該流体接続部品の該スロット配置の該スロット内に、使用時、契合可能なように適当に離れ隔てられる。
【００２７】
該接続システムは該流体誘導部品内の該流体ポートの周りにシール手段を適当に具備する。どんな適当なシール手段が使用されてよい。好ましくは、該シール手段は該流体ポートの周りに延びる接続面内に深ざぐり（ｃｏｕｎｔｅｒｂｏｒｅ）を有してもよい。例えば、Ｏリングシールが該深ざぐり内に配置されてもよい。好ましくは、ゴム又は合成材の均等物（ｓｙｎｔｈｅｔｉｃ  ｅｑｕｉｖａｌｅｎｔ）の様な、エラストマー材料（ｅｌａｓｔｏｍｅｒｉｃ  ｍａｔｅｒｉａｌ）のチューブが該第１及び第２流体誘導部品の１つの該深ざぐり内に配置されるのがよい。
【００２８】
本発明の該接続システムの使用では、第１過程で、第１及び第２の隣接する流体誘導部品の該スロット配置内にコネクターが挿入される。該スロット内への該コネクターの結合要素の該結合部材の挿入は、該結合部材の該第１テーパ付き面を、該スロットの該それぞれの第１テーパ付き面上に作用させ、それにより該流体誘導部品の接続面を一緒に整合状態（ａｌｉｇｎｍｅｎｔ）内へ引きそしてその中の該流体ポート間に流体の漏れないシール（ｆｌｕｉｄ  ｔｉｇｈｔ  ｓｅａｌ）を提供する。
【００２９】
同時に、該スロット内への該コネクターの該結合部材の該挿入は該結合部材の該第２テーパ付き面を、該スロットの該第２テーパ付き面上に作用させ、それにより該流体誘導部品を整合させる。
【００３０】
第２の過程で、該コネクターは、該スライド要素を該ロック位置へ摺動させることにより位置内にロックされ、該位置内では該スライド要素上の該突起は該流体誘導部品の接続面上でラグと契合し、該スロット配置からの該コネクターの移動を防止する。このロック位置では、該結合要素の支持部の該リブ上の横突起は、該スライド要素を該ロック位置内に保持するよう該スライド要素の該通しスロット内の該カットアウトと契合する。
【００３１】
油圧システムで使用時、該流体誘導部品を通過するガスは該シールのエラストマーのチューブを膨張させ、該チューブは隣接する流体誘導部品の深ざぐり内へ膨張しそれにより流体の漏れないシールを提供する。
【実施例１】
【００３２】
本発明の好ましい実施例が付属する線図を参照して単なる例により下記で説明される。
【００３３】
図１−１０の接続システムは複数の流体誘導部品２と該流体誘導部品２を相互接続するための複数のコネクター４とを具備する。この実施例では隣接する流体誘導部品２は第１及び第２コネクター４ａ、４ｂにより相互接続される。
【００３４】
各流体誘導部品２は主ボデイ８と、少なくとも１つの接続面１０，この実施例ではその相対する端部にある第１及び第２接続面１０ａ及び１０ｂと、を備え、該接続面１０ａ、１０ｂは第１及び第２コネクター４ａ、４ｂにより他の流体誘導部品２の接続面１０ａ、１０ｂに接続される。
【００３５】
該第１及び第２接続面１０ａ、１０ｂの各々は実質的に平面状の接続面１１を有し、該面１１は内部流体導管（ｉｎｔｅｒｎａｌ  ｆｌｕｉｄ  ｃｏｎｄｕｉｔ）と流体連通関係にある流体ポート１２と、第１及び第２凹部１３，１４と、を有するが、該凹部は、この実施例では、該主ボデイ８の相対する側に沿って延びており、該凹部１３，１４内には該第１及び第２コネクター４ａ、４ｂの部分が下記で詳細に説明される様に収容される。
【００３６】
該第１及び第２接続面１０ａ、１０ｂの各々は、更に第１及び第２スロット配置１８，２０を備え、該スロット配置の各々は、この実施例では、第１及び第２の細長い、平行スロット１９ａ、１８ｂ，２０ａ、２０ｂを有するが、該スロットは該第１及び第２凹部１３，１４のそれぞれの１つから内方へ、相対する関係を有して延びている。
【００３７】
該スロット配置１８，２０のスロット１８ａ，１８ｂ，２０ａ、２０ｂの各々はそれぞれの接続面１１内に細長いアパーチャ２２を有し、該アパーチャ２２内へは該コネクター４ａ、４ｂのそれぞれの１つの１部分が下記で更に詳細に説明される様に挿入可能である。該スロット１８ａ，１８ｂ，２０ａ、２０ｂの各々は、更に、第１カム面２６、この実施例では、それぞれの接続面１１から相対して面し、内方に面する側面、を有し、該側面はこの実施例では、該それぞれのコネクター４ａ、４ｂの挿入軸線に対して、約２°の角度αで、該それぞれの接続面１１から離れる方向に、該それぞれの凹部１３，１４から内方へテーパ付けされている。該スロット１８ａ，１８ｂ，２０ａ、２０ｂの各々は更に第２カム面３２，この実施例では外方へ面するベース面を有し、該ベース面はこの実施例では、それぞれのコネクター４ａ、４ｂの挿入軸線に対し約２°の角度βで、それぞれの凹部１３，１４から外方へ、テーパが付いている。
【００３８】
該第１及び第２接続面１０ａ、１０ｂの各々は更に該凹部１３，１４の端部の各々にラグ５０を有し、該ラグ５０は該スロット１８ａ，１８ｂ，２０ａ、２０ｂの主軸線に実質的に直交する方向で外方へ向けられている。
【００３９】
コネクター４ａ、４ｂの各々は、結合要素５２，この実施例での、該スロット配置１８，２０の１つ内に契合可能な金属部品と、ロック用スライド要素（ｌｏｃｋｉｎｇ  ｓｌｉｄｅ  ｅｌｅｍｅｎｔ）５４，該スロット配置１８，２０の１つ内に挿入される時該結合要素５２を位置内にロックするため該結合要素５２に摺動可能に配置された、この実施例でのプラスチック部品と、を含む。
【００４０】
該結合要素５２は支持部５８と、該支持部５８から、相互接続されるべき該流体誘導部品２の該スロット配置１８，２０のそれぞれの１つのスロット１８ａ，１８ｂ，２０ａ、２０ｂ内に契合可能な間隔を有して平行関係で延びる第１及び第２結合部材６０、６２と、を有する。
【００４１】
該支持部５８はベース部分６６，該ベース部分６６の外面から隔てられ、該外面に沿って縦に延びるフランジ部分６８、そして該フランジ部分６８より小さい幅で、該ベース部分６６と該フランジ部分６８とを接続するリブ７０を有する。該リブ７０はその１端に拡大した部分７２を有し、該拡大した部分は該結合要素５２と該ロック用スライド要素５４の不適当な嵌合を防止するよう作用する。該リブは更に横突起（ｌａｔｅｒａｌ  ｐｒｏｊｅｃｔｉｏｎｓ）７４を有するがそれは下記で更に詳細に説明される様に戻り止めとして作用する。
【００４２】
該第１及び第２結合部材６０，６２の各々は該支持部５８のベース部分６６から隔てられ、平行した関係で延びる第１及び第２フランジ部分７８，８０と、該フランジ部分７８，８０を相互接続する第３の、ウエブ部分（ｔｈｉｒｄ，  ｗｅｂ  ｓｅｃｔｉｏｎ）８２と、を有する。
【００４３】
該フランジ部分７８，８０の各々は第１の、カム面８６，８８、この実施例では、内方へ面する側面（ｉｎｗａｒｄｌｙ−ｆａｃｉｎｇ  ｓｉｄｅ  ｓｕｒｆａｃｅ）を有するが、該側面は、相互接続されるべき該流体誘導部品２内のスロット配置１８，２０のスロット１８ａ，１８ｂ，２０ａ、２０ｂのそれぞれの１つの内方へ面する第１カム面２６と契合するよう構成される。該フランジ部分７８，８０の該第１カム面８６，８８の各々は、この実施例では、該支持部５８の該ベース部分６６から、約２°の角度α2で、外方へテーパ付けされている。
【００４４】
該フランジ部分７８，８０の各々は更に、第２の、カム面９２，９４、この実施例では、内方へ面するエッジ面（ｉｎｗａｒｄｌｙ−ｆａｃｉｎｇ  ｅｄｇｅ  ｓｕｒｆａｃｅ）を有し、該エッジ面は相互接続されるべき該流体誘導部品２、２の該スロット配置１８，２０の該スロット１８ａ，１８ｂ，２０ａ、２０ｂのそれぞれの１つの外方へ面する第２カム面３２と契合するよう構成される。該フランジ部分７８，８０の該エッジカム面（ｅｄｇｅ  ｃａｍ  ｓｕｒｆａｃｅｓ）９２，９４の各々は、この実施例では、該支持部５８のベース部分６６から約２°の角度β2で、外方へテーパ付けされている。
【００４５】
該ロック用スライド要素５４はボデイ部分９６，この実施例での、細長い部分と、相互接続されるべき流体誘導部品２のラグ５０のそれぞれの１つとの契合用の横突起９８と、を有する。該ボデイ部分９６は該結合要素５２の支持部５８上の該リブ７０及び該フランジ部分６８をそれぞれ受けるために通しスロット１００及び凹部１０２を有する。該通しスロット１００はその相対する側のカットアウト１０６を有するが、それらは該ロック用スライド要素５４をロック位置にロックするために、該結合要素５２の該支持部５８のリブ７０の該横突起７４と契合するよう作用する。この構成で、該ロック用スライド要素５４は、該ロック用スライド要素５４上の該突起９４が該流体誘導部品２内の該スロット配置１８，２０のそれぞれの１つ内の結合要素５２の完全な挿入を許容するよう延ばされる、第１の、延ばされた位置（図７及び８で図解される様な）と、該突起９８が、該結合要素５２を位置内へロックするように相互接続されるべき該流体誘導部品２の該ラグ５０のそれぞれの１つと契合する、第２の、引き込められた位置（図９及び１０で図解される様な）と、の間に該結合要素５２に対し捕捉式に、摺動可能に配置される（ｃａｐｔｉｖｅｌｙ  ｓｌｉｄｅａｂｌｙ  ｄｉｓｐｏｓｅｄ）。
【００４６】
該接続システムの動作が図７から１０を参照して下記で今説明される。
【００４７】
第１過程で、コネクター４ａ、４ｂは隣接する流体誘導部品２の第１及び第２スロット配置１８，２０のそれぞれの１つ内へ挿入される。コネクター４ａ、４ｂの該結合要素５２の結合部材６０，６２の該挿入は、該結合要素５２の該フランジ部分７８，８０上の第１カム面８６，８８を、該スロット配置１８，２０の各々のスロット１８ａ、１８ｂ、２０ａ、２０ｂのそれぞれの第１カム面２６上に作用させ、それにより該流体誘導部品２の接続面１１を一緒に整合状態に引き（該ｘ及びｚ軸には並進式に、そして該ｙ及びｚ軸の周りに回転式に）そしてその中の該流体ポート１２，１２間に流体の漏れないシールを提供する。同時に、該結合要素５２の該結合部材６０，６２の該挿入は該結合部材６０，６２の該フランジ部分７８，８０の該エッジカム面９２，９４を、該スロット配置１８，２０の各々のスロット１８ａ，１８ｂ，２０ａ、２０ｂのそれぞれのエッジカム面３２上に作用させ、それにより該流体誘導部品２を整合させる（該ｙ及びｚ軸には並進式にそして該ｘ軸の周りに回転式に）。
【００４８】
第２過程で、該コネクター４ａ、４ｂは該スライド要素５４を該ロック位置へ摺動させることにより位置内へロックされ、その位置で各スライド要素５４上の突起９８は該流体誘導部品２の接続面１１上のラグ５０の１つと契合し、該それぞれのスロット配置１８，２０からの該結合要素５２の移動を防止する。このロック位置では、該結合要素５２の各々の該支持部材５８のリブ７０上の横突起７４は、該ロック位置に該スライド要素５４を保持するよう該スライド要素５４の各々内の通しスロット１００の該カットアウト１０６，１０６と契合する。
【実施例２】
【００４９】
図１１から１９の接続システムは、その１つが図１４−１９で示される、複数の流体誘導部品１００と、該流体誘導部品１００を相互接続するための複数のコネクター１０２と、を具備する。
【００５０】
図１１（ａ）−１３（ｅ）で図解される様に、該コネクター１０２は結合要素１０４と、ロック用スライド要素１０６と、を備えるが、該ロック用スライド要素１０６は該結合要素１０４上に摺動可能に配置される。
【００５１】
該結合要素１０４は図１−１０で図解された実施例の結合要素５２のそれと同様な構造を有し、支持部１０８と、相互に平行で隔てられた関係を有して該支持部１０８から延びる第１及び第２結合部材１１０，１１２と、を有する。該支持部１０８は、ベース１１４と、該ベース部分１１４の外面から隔てられ、該外面に沿って縦に延びるフランジ部分１１６と、そしてリブ１１８と、を有する。該リブ１１８は該フランジ１１６より小さい幅を有し、該ベース１１４と該フランジ１１６を接続する。該リブ１１８は１端に拡大した部分１２０を有し、該拡大した部分は該結合要素１０４と該ロック用スライド要素１０６の不適当な嵌合を防止するよう作用する。
【００５２】
該第１及び第２結合部材１１０，１１２の各々は、隔てられ、平行な関係で該支持部１０８のベース１１４から延びる第１及び第２フランジ部分１２２，１２４と、該フランジ部分１２２，１２４を相互接続する、第３の、ウエブ部分１２６と、を有する。
【００５３】
第１実施例の該フランジ部分と同じ仕方で、該フランジ部分１２２，１２４の各々は第１の、カム面１２８，１３０、この実施例では、内方へ面する側面、を有する。該フランジ部分１２２，１２４の該第１カム面１２８，１３０の各々は支持部１０８のベース部分１１４から、この実施例では約２°の角度で、外方へテーパ付けされている。
【００５４】
第１実施例の該フランジ部分と同じ仕方で、該フランジ部分１２８，１３０の各々は更に第２の、カム面１３２，１３４、この実施例では、内方へ面するエッジ面、を有する。該フランジ部分１２２，１２４の該エッジカム面１３２，１３４の各々は支持部１０８のベース部分１１４から、この実施例では約２°の角度で、外方へテーパ付けされている。
【００５５】
該ロック用スライド要素１０６はボデイ部分１３６，この実施例での細長い部分と、該ボデイ部分１３６の１端から隔てられ、平行な関係を有して延びる第１及び第２弾性アーム１３８，１４０と、を有する。各アーム１３８、１４０の遠位の端部は、該アーム１３８，１４０に実質的に直角に延びる突起１４２，１４４を有する。
【００５６】
該ボデイ部分１３６は該結合要素１０２の支持部１０８のリブ１１８及びフランジ１１６をそれぞれ受けるために通しスロット１４６及び凹部１４８を有する。該通しスロット１４６は該支持部１０８のリブ１１８上の拡大された部分１２０と契合するためにより幅広い部分１５０を有する。
【００５７】
各流体誘導部品１００は主ボデイ１６０と、少なくとも１つの接続面、この実施例での、その相対する端部の第１及び第２接続面１６２ａ、１６２ｂと、を有するが、該接続面１６２ａ、１６２ｂは第１及び第２コネクター１０２により他の流体誘導部品１００の接続面１６２ａ、１６２ｂに接続される。
【００５８】
該第１及び第２接続面１６２ａ、１６２ｂの各々は、その面１６４が内部流体導管と流体的連通関係にある流体ポート１６６を有する、実質的に平面状の該接続面１６４と、この実施例で、該主ボデイ１６０の相対する側に沿って延びる第１及び第２凹部１６８，１７０と、を備えており、該凹部１６８，１７０内には、少なくとも該第１及び第２コネクター１０２のベース部分１１４が使用時収容される。
【００５９】
第１及び第２接続面１６２ａ、１６２ｂの各々は更に、第１及び第２スロット配置１７２，１７４を備え、各該スロット配置はこの実施例では、該第１及び第２凹部１６８，１７０のそれぞれの１つから内方へ相対する関係を有して延びる第１及び第２の細長い、平行なスロット１７２ａ、１７２ｂ、１７４ａ、１７４ｂを有する。
【００６０】
該スロット配置１７２，１７４の該スロット１７２ａ、１７２ｂ、１７４ａ、１７４ｂの各々は、それぞれの接続面１６２内に細長いアパーチャ１７６を有し、該アパーチャ１７６内には該コネクター１０２のそれぞれの１つのフランジ１２２，１２４が挿入可能である。該スロット１７２ａ、１７２ｂ、１７４ａ、１７４ｂの各々は更に、第１カム面１８０、この実施例では、該それぞれの接続面１６２から反対に面し、内方へ面する側面、を有するが、該側面は、この実施例ではそれぞれのコネクター１０２の挿入の軸線に対し約２°の角度αで、該それぞれの接続面１６２から離れる方向で該それぞれの凹部１６８，１７０から内方へテーパ付けされている。該スロット１７２ａ、１７２ｂ、１７４ａ、１７４ｂの各々は更に、第２カム面１８２、この実施例では、外方へ面するベース面（ｏｕｔｗａｒｄｌｙ−ｆａｃｉｎｇ  ｂａｓｅ  ｓｕｒｆａｃｅ）、を有するが、該ベース面は、この実施例ではそれぞれのコネクター１０２の挿入の軸線に対し約２°の角度βで、該それぞれの凹部１６８，１７０から外方へテーパ付けされている。
【００６１】
第１及び第２接続面１６２ａ、１６２ｂの各々は更に、各それぞれのスロットの該流体ポート１６６に対し遠位の側に配置された各スロット１７２ａ、１７２ｂ、１７４ａ、１７４ｂに隣接する、該コネクター面１６２ａ、１６２ｂ内の凹部１８４を有する。該流体誘導部品１００の該凹部１８４と、該コネクター１０２の弾性的アーム１３８、１４０及び突起１４２，１４４と、は、該コネクター１０２の該フランジ部分１２２，１２４が該スロット１７２ａ、１７２ｂ、１７４ａ、１７４ｂ内に挿入された時、該コネクター１０２を該流体誘導部品１００に対する位置内にロックするために該突起１４２、１４４が該凹部１８４内に嵌合するように、配置される。
【００６２】
該凹部１８４は該凹部１８４から該スロット１７２ａ、１７２ｂ、１７４ａ、１７４ｂのそれぞれの１つへ外方へテーパ付けされたテーパ付き部分１８６を有する。使用時、該ロック用スライド要素１０６が下方へ押されると、該弾性的アーム１３８，１４０は該テーパ付き部分１８６により内方へそらされる。該凹部１８４からの該突起１４２，１４４の解除は該流体誘導部品１００に対し該コネクター１０２をロック解除し、該コネクター１０２が該流体誘導部品１００の間から外へ摺動させられることを可能にし、それにより隣接する流体誘導部品１００を分離する。
【００６３】
図１４（ａ）及び１４（ｂ）は、該流体誘導部品１００に対する該コネクター１０２の配置をより明らかに図解するために１つの流体誘導部品１００に対するコネクター１０２を示す。使用時は、２つのコネクター１０２が、第１実施例に関して説明されたそれと同様な仕方で、２つの面する流体誘導部品１００を隣接させるために使われる。
【００６４】
図１５（ａ）はその各側に配置されたコネクター１０２を有する流体誘導部品１００を示し、両コネクター１０２はロック位置にある。図１５（ｂ）はロック解除位置の左側コネクター１０２を有する図１５（ａ）の流体誘導部品１００を示す。
【００６５】
該接続システムの動作が図１４（ａ）から２０を参照して下記で説明される。
【００６６】
第１過程で、コネクター１０２が、隣接する流体誘導部品１００の該第１及び第２スロット配置１７２ａ、１７２ｂ、１７４ａ、１７４ｂのそれぞれの１つ内に挿入される。該コネクター１０２の該結合要素１０４の該結合部材１１０，１１２の挿入は、該結合要素１０４のフランジ部分１２２，１２４上の第１カム面１２８，１３０を、該スロット１７２ａ、１７２ｂ、１７４ａ、１７４ｂのそれぞれの第１カム面１８０上へ作用させ、それにより該流体誘導部品１００の接続面１６２を一緒に整合状態に引き込み（該ｘ及びｚ軸に並進式に、該ｙ及びｚ軸の周りに回転式に）、その中の流体ポート１６６，１６６間に流体の漏れないシールを提供する。同時に、該結合要素１０４の該結合部材１２８，１３０の挿入は、該結合部材１１０，１１２のフランジ部分１２２，１２４上の該エッジカム面１３２，１３４を、該スロット１７２ａ、１７２ｂ、１７４ａ、１７４ｂのそれぞれのエッジカム面１８２上へ作用させ、それにより該流体誘導部品１００を整合させる（該ｙ及びｚ軸に並進式に、該ｘ軸の周りに回転式に）。
【００６７】
該それぞれのスロット１７２ａ、１７２ｂ、１７４ａ、１７４ｂ内へ該結合部材１１０，１１２の該フランジ部分１２２，１２４を挿入すると、該弾性的アーム１３８，１４０上の突起１４２，１４４は該接続面１６２内の該凹部１８４内に嵌合し、該コネクター１０２は隣接する流体誘導部品１００を一緒にロックする。
【００６８】
第２過程で、該コネクター１０２は、該スライド要素１０６を該ロック位置からロック解除位置へ下方へ摺動させることによりロック解除され、該ロック解除位置では、各弾性的アーム１３８，１４０上の突起１４２，１４４は該テーパ付き部分１８６により該凹部１８４から離れるようそらされる。該それぞれの凹部１８４からの該突起１４２，１４４の解除は該それぞれのスロット配置１７２，１７４からの該結合要素１０４の移動を可能にする。
【００６９】
最後に、本発明は、その好ましい実施例で説明されており、付属する請求項により規定される本発明の範囲から離れることなく多くの異なる仕方で変型され得ることは理解されるであろう。
【図面の簡単な説明】
【００７０】
【図１】本発明の第１実施例のコネクターの斜視図を図解する。
【図２】上記の、図１のコネクターの１つの側及び１つの端部からの組立、分解斜視図を図解する。
【図３】上記の、図１のコネクターのもう１つの側及びもう１つの端部からの組立、分解斜視図を図解する。
【図４（ａ）】図１のコネクターの結合要素の側面図を図解する。
【図４（ｂ）】図４（ａ）の結合要素の（図２の断面ＩＶ−ＩＶに沿った）垂直断面図を図解する。
【図４（ｃ）】図４（ａ）の結合要素の（図２の断面Ｖ−Ｖに沿った）垂直断面図を図解する。
【図４（ｄ）】図４（ａ）の結合要素の（図２の断面ＶＩ−ＶＩに沿った）水平断面図を図解する。
【図４（ｅ）】図４（ａ）の結合要素の（図２の断面ＶＩＩ−ＶＩＩに沿った）水平断面図を図解する。
【図５（ａ）】図１のコネクターのロック用スライド要素の端面図を図解する。
【図５（ｂ）】図５（ａ）のロック用スライド要素の｛図５（ａ）の断面ＶＩＩＩ−ＶＩＩＩに沿った）垂直断面図を図解する。
【図６（ａ）】本発明の第１の実施例の流体誘導部品の斜視図を図解する。
【図６（ｂ）】図６（ａ）の流体誘導部品の１端面接続の部分斜視図を拡大尺度で図解する。
【図６（ｃ）】図６（ａ）の流体誘導部品の｛図６（ａ）で断面Ｉ−Ｉに沿った）水平断面図を図解する。
【図６（ｄ）】図６（ａ）の流体誘導部品の｛図６（ａ）で断面ＩＩ−ＩＩに沿った）水平断面図を図解する。
【図６（ｅ）】図６（ａ）の流体誘導部品の｛図６（ａ）で断面ＩＩＩ−ＩＩＩに沿った）垂直断面図を図解する。
【図７】図６（ａ）の第１の流体誘導部品に部分的に嵌合された図１の１つのコネクターの端面図を図解する。
【図８】図６（ａ）の第１流体誘導部品と図６（ａ）の第２流体誘導部品とを相互接続する図１の第１コネクターの斜視図を図解しており、該第１コネクターのロック用スライド要素は上げられた、ロック解除位置にある。
【図９】共に図６（ａ）に依る、第１及び第２流体誘導部品を相互接続する、共に図１に依る、第１及び第２コネクターの斜視図を図解しており、該第１コネクターのロック用スライド要素は下げられた、ロック位置にあり、該第２コネクターのロック用スライド要素は上げられた、ロック解除位置にある。
【図１０】図９の該第１及び第２流体誘導部品を相互接続する第１及び第２コネクターの斜視図を図解しており、該第１及び第２コネクターのロック用スライド要素は下げられた、ロック位置にある。
【図１１（ａ）】本発明の第２の実施例のコネクターの正面斜視図を図解する。
【図１１（ｂ）】図１１（ａ）のコネクターの背面斜視図を図解する。
【図１２（ａ）】図１１（ａ）のコネクターの組立分解図を図解する。
【図１２（ｂ）】図１１（ｂ）のコネクターの組立分解図を図解する。
【図１３（ａ）】図１１（ａ）のコネクターのロック用スライド要素の正面図を図解する。
【図１３（ｂ）】図１１（ａ）のコネクターのロック用スライド要素の背面図を図解する。
【図１３（ｃ）】図１１（ａ）のコネクターのロック用スライド要素の側面図を図解する。
【図１３（ｄ）】図１３（ｂ）の線Ｘ−Ｘに沿った断面図を図解する。
【図１３（ｅ）】図１１（ａ）のコネクターのロック用スライド要素の平面図を図解する。
【図１４（ａ）】本発明の第２の実施例のコネクターと流体誘導部品を図解する。
【図１４（ｂ）】図１４（ａ）のコネクターと流体誘導部品を図解しており、該コネクターは流体誘導部品に対し接続位置に配置されている。
【図１５（ａ）】図１４（ｂ）の配置の側面図であり、該コネクターはロック位置にある。
【図１５（ｂ）】図１５（ａ）の装置を図解しており、該コネクターは流体誘導部品からの除去用の位置にある。
【図１６】流体誘導部品の断面側面図を図解しており、そして２つのコネクターはロック位置に配置されている。
【図１７】図１４（ｂ）の線ＸＩＩ−ＸＩＩに沿った断面図を図解しており、そのデバイスの上部部分を示す。
【図１８】図１７の円部分の拡大図である。
【図１９】コネクターと流体誘導部品の部分の略図解であり、ロック状態での該コネクターと該流体誘導部品の間の関係を図解する。
【図２０】図１４（ａ）の線ＸＩＩＩ−ＸＩＩＩに沿った断面図である。
【図１】
2005537441.tif 000003
【図２】
2005537441.tif 000004
【図３】
2005537441.tif 000005
【図４（ａ）】
2005537441.tif 000006
【図４（ｂ）】
2005537441.tif 000007
【図４（ｃ）】
2005537441.tif 000008
【図４（ｄ）】
2005537441.tif 000009
【図４（ｅ）】
2005537441.tif 000010
【図５（ａ）】
2005537441.tif 000011
【図５（ｂ）】
2005537441.tif 000012
【図６（ａ）】
2005537441.tif 000013
【図６（ｂ）】
2005537441.tif 000014
【図６（ｃ）】
2005537441.tif 000015
【図６（ｄ）】
2005537441.tif 000016
【図６（ｅ）】
2005537441.tif 000017
【図７】
2005537441.tif 000018
【図８】
2005537441.tif 000019
【図９】
2005537441.tif 000020
【図１０】
2005537441.tif 000021
【図１１（ａ）】
2005537441.tif 000022
【図１１（ｂ）】
2005537441.tif 000023
【図１２（ａ）】
2005537441.tif 000024
【図１２（ｂ）】
2005537441.tif 000025
【図１３（ａ）】
2005537441.tif 000026
【図１３（ｂ）】
2005537441.tif 000027
【図１３（ｃ）】
2005537441.tif 000028
【図１３（ｄ）】
2005537441.tif 000029
【図１３（ｅ）】
2005537441.tif 000030
【図１４（ａ）】
2005537441.tif 000031
【図１４（ｂ）】
2005537441.tif 000032
【図１５（ａ）】
2005537441.tif 000033
【図１５（ｂ）】
2005537441.tif 000034
【図１６】
2005537441.tif 000035
【図１７】
2005537441.tif 000036
【図１８】
2005537441.tif 000037
【図１９】
2005537441.tif 000038
【図２０】
2005537441.tif 000039
【国際調査報告】
2005537441.tif 000040
2005537441.tif 000041
2005537441.tif 000042